(57)【要約】【課題】チラシＴＳの配布先に応じてチラシＴＳに載る広告を異ならせること。【解決手段】タブレット端末５とポスティングサーバー１とが通信して、プリンター３によりチラシＴＳを発行する広告システム１００であって、タブレット端末５は、検出した現在位置を示す現在位置情報をポスティングサーバー１に送信し、ポスティングサーバー１は、タブレット端末５から現在位置情報を受信し、受信した現在位置情報が示す現在位置に基づく広告画像を広告主２Ａから取得した複数の広告画像から選択し、選択した広告画像の印刷に係る印刷データを生成してタブレット端末５に送信し、タブレット端末５は、受信した印刷データに基づく印刷をプリンター３に実行させる。【選択図】図１
2020190918.tif 000002
【特許請求の範囲】
【請求項１】
印刷装置を制御する制御装置とサーバーとが通信して、広告画像が印刷された広告媒体を前記印刷装置により発行する広告システムであって、
前記制御装置は、
現在位置を検出し、検出した前記現在位置を示す現在位置情報を前記サーバーに送信し、
前記サーバーは、
前記印刷装置、又は、前記制御装置から前記現在位置情報を受信し、受信した前記現在位置情報が示す前記現在位置に基づく前記広告画像を、広告主から取得した複数の前記広告画像から選択し、選択した前記広告画像の印刷に係る印刷データを生成して前記制御装置に送信し、
前記制御装置は、
前記印刷データを受信した場合、受信した前記印刷データに基づく印刷を前記印刷装置に実行させる、
広告システム。
【請求項２】
前記サーバーは、前記広告媒体を配布する配布先の順番を決定し、
前記印刷装置又は前記制御装置は、第１の配布先で前記広告媒体の配布が完了した場合、前記現在位置情報を前記サーバーに送信し、
前記サーバーは、前記印刷装置又は前記制御装置から受信した前記現在位置情報、及び、決定した前記順番に基づいて、前記第１の配布先の次の配布先である第２の配布先に配布する前記広告媒体の前記印刷データを生成する、
請求項１に記載の広告システム。
【請求項３】
前記サーバーは、決定した前記順番を示す情報を前記制御装置に送信し、
前記制御装置は、前記順番を示す情報を報知する、
請求項２に記載の広告システム。
【請求項４】
前記印刷装置は、前記制御装置を含む、
請求項１ないし３のいずれか一項に記載の広告システム。
【請求項５】
印刷装置を制御する制御装置であって、
前記印刷装置と通信する第１通信部と、
サーバーと通信する第２通信部と、
現在位置を検出する位置検出部と、
前記第１通信部、前記第２通信部、及び、前記位置検出部を制御する制御部と、を備え、
前記制御部は、
前記位置検出部が検出した現在位置を示す現在位置情報を前記第２通信部により前記サーバーへ送信し、
広告主から取得した複数の広告画像から前記サーバーが前記現在位置に基づいて選択した前記広告画像の印刷に係る印刷データを、前記第２通信部により前記サーバーから受信し、
受信した前記印刷データを前記第１通信部により前記印刷装置へ送信して、前記印刷データに基づく印刷を前記印刷装置に実行させる、
制御装置。
【請求項６】
印刷装置と通信する第１通信部と、サーバーと通信する第２通信部と、現在位置を検出する位置検出部と、を備える制御装置の制御部により実行可能なプログラムであって、
前記制御部に、
前記位置検出部が検出した現在位置を示す現在位置情報を前記第２通信部により前記サーバーへ送信させ、
広告主から取得した複数の広告画像から前記サーバーが前記現在位置に基づいて選択した前記広告画像の印刷に係る印刷データを、前記第２通信部により前記サーバーから受信させ、
受信した前記印刷データを前記第１通信部により前記印刷装置へ送信させる、
プログラム。
【請求項７】
印刷装置を制御する制御装置とサーバーとが通信して、、広告画像が印刷された広告媒体を前記印刷装置により発行する広告システムの制御方法であって、
前記制御装置は、
現在位置を検出し、検出した前記現在位置を示す現在位置情報を前記サーバーに送信し、
前記サーバーは、
前記印刷装置、又は、前記制御装置から前記現在位置情報を受信し、受信した前記現在位置情報が示す前記現在位置に基づく前記広告画像を、広告主から取得した複数の前記広告画像から選択し、選択した前記広告画像の印刷に係る印刷データを生成して前記制御装置に送信し、
前記制御装置は、
前記印刷データを受信した場合、受信した前記印刷データに基づく印刷を前記印刷装置に実行させる、
広告システムの制御方法。
【発明の詳細な説明】
【技術分野】
【０００１】
本発明は、広告システム、制御装置、プログラム、及び、広告システムの制御方法に関する。
【背景技術】
【０００２】
従来、印刷装置によって広告画像が印刷された広告媒体を発行する技術が知られている。例えば、特許文献１は、広告主から送信された広告用の画像情報を編集して広告のデザイン情報を作成し、作成されたデザイン情報に基づいて印刷情報を生成し、生成した印刷情報に基づく印刷を広告の配布拠点で実行してチラシを発行するシステムを開示する。
【先行技術文献】
【特許文献】
【０００３】
【特許文献１】特開２００５−２５９０１８号公報
【発明の概要】
【発明が解決しようとする課題】
【０００４】
特許文献１記載のようなチラシには配布先への広告効果を高めるために配布先に応じてチラシに載る広告を異ならせたいとするニーズがあるが、特許文献１記載のシステムは、配布拠点の配布エリア内でチラシに載せる広告を異ならせることが難しい。
【課題を解決するための手段】
【０００５】
上記課題を解決する一態様は、印刷装置を制御する制御装置とサーバーとが通信して、広告画像が印刷された広告媒体を前記印刷装置により発行する広告システムであって、前記制御装置は、現在位置を検出し、検出した前記現在位置を示す現在位置情報を前記サーバーに送信し、前記サーバーは、前記印刷装置、又は、前記制御装置から前記現在位置情報を受信し、受信した前記現在位置情報が示す前記現在位置に基づく前記広告画像を、広告主から取得した複数の前記広告画像から選択し、選択した前記広告画像の印刷に係る印刷データを生成して前記制御装置に送信し、前記制御装置は、前記印刷データを受信した場合、受信した前記印刷データに基づく印刷を前記印刷装置に実行させる、広告システムである。
【０００６】
上記広告システムにおいて、前記サーバーは、前記広告媒体を配布する配布先の順番を決定し、前記印刷装置又は前記制御装置は、第１の配布先で前記広告媒体の配布が完了した場合、前記現在位置情報を前記サーバーに送信し、前記サーバーは、前記印刷装置又は前記制御装置から受信した前記現在位置情報、及び、決定した前記順番に基づいて、前記第１の配布先の次の配布先である第２の配布先に配布する前記広告媒体の前記印刷データを生成する、構成でもよい。
【０００７】
上記広告システムにおいて、前記サーバーは、決定した前記順番を示す情報を前記制御装置に送信し、前記制御装置は、前記順番を示す情報を報知する、構成でもよい。
【０００８】
上記広告システムにおいて、前記印刷装置は、前記制御装置を含む、構成でもよい。
【０００９】
上記課題を解決する別の一態様は、印刷装置を制御する制御装置であって、前記印刷装置と通信する第１通信部と、サーバーと通信する第２通信部と、現在位置を検出する位置検出部と、前記第１通信部、前記第２通信部、及び、前記位置検出部を制御する制御部と、を備え、前記制御部は、前記位置検出部が検出した現在位置を示す現在位置情報を前記第２通信部により前記サーバーへ送信し、広告主から取得した複数の広告画像から前記サーバーが前記現在位置に基づいて選択した前記広告画像の印刷に係る印刷データを、前記第２通信部により前記サーバーから受信し、受信した前記印刷データを、前記第１通信部により前記印刷装置へ送信して、前記印刷データに基づく印刷を前記印刷装置に実行させる、制御装置である。
【００１０】
上記課題を解決するさらに別の一態様は、印刷装置と通信する第１通信部と、サーバーと通信する第２通信部と、現在位置を検出する位置検出部と、を備える制御装置の制御部により実行可能なプログラムであって、前記制御部に、前記位置検出部が検出した現在位置を示す現在位置情報を前記第２通信部により前記サーバーへ送信させ、広告主から取得した複数の広告画像から前記サーバーが前記現在位置に基づいて選択した前記広告画像の印刷に係る印刷データを、前記第２通信部により前記サーバーから受信させ、受信した前記印刷データを、前記第１通信部により前記印刷装置へ送信させる、プログラムである。
【００１１】
上記課題を解決するさらに別の一態様は、印刷装置を制御する制御装置とサーバーとが通信して、広告画像が印刷された広告媒体を前記印刷装置により発行する広告システムの制御方法であって、前記制御装置は、現在位置を検出し、検出した前記現在位置を示す現在位置情報を前記サーバーに送信し、前記サーバーは、前記印刷装置、又は、前記制御装置から前記現在位置情報を受信し、受信した前記現在位置情報が示す前記現在位置に基づく前記広告画像を、広告主から取得した複数の前記広告画像から選択し、選択した前記広告画像の印刷に係る印刷データを生成して前記制御装置に送信し、前記制御装置は、前記印刷データを受信した場合、受信した前記印刷データに基づく印刷を前記印刷装置に実行させる、広告システムの制御方法である。
【図面の簡単な説明】
【００１２】
【図１】広告システムの構成を示す図。
【図２】広告システムが備える各装置の構成を示す図。
【図３】配布員管理データベースの一例を示す図。
【図４】依頼情報管理データベースの一例を示す図。
【図５】広告システムの動作を示すフローチャート。
【図６】ポスティングサーバーとタブレット端末との動作を説明するための図。
【発明を実施するための形態】
【００１３】
図１は、広告システム１００の構成を示す図である。広告システム１００は、ポスティング業者１Ａが利用するシステムである。ポスティング業者１Ａは、広告主２Ａの商品やサービス等の広告を載せたチラシＴＳの配布に係る業務を行う業者である。チラシＴＳは、広告媒体の一例を示す図である。
【００１４】
図１に示すように、広告システム１００は、ポスティングサーバー１を備える。ポスティングサーバー１は、ポスティング業者１Ａによって管理されるサーバー装置であり、インターネット等のグローバルネットワークＧＮに接続する。ポスティングサーバー１は、サーバーの一例に対応する。なお、各図では、ポスティングサーバー１を、１つのブロックによって表現するが、これは必ずしもポスティングサーバー１が単一のサーバー装置により構成されることを意味するものではない。例えば、ポスティングサーバー１は、処理内容が異なる複数のサーバー装置を含んで構成されたものでもよい。
【００１５】
図１に示すように、広告システム１００は、プリンター３を備える。プリンター３は、印刷装置の一例に対応する。本実施形態のプリンター３は、インクジェットヘッドにインクを供給するインクタンクに対して、事後的なインクの充填が可能なＣＩＳＳ（Ｃｏｎｔｉｎｕｏｕｓ  Ｉｎｋ  Ｓｕｐｐｌｙ  Ｓｙｓｔｅｍ）方式の印刷装置である。また、本実施形態のプリンター３は、ポスティング業者１Ａと所定の契約を結んでチラシＴＳを配布する配布員４が持ち運び可能な携帯型の印刷装置を例示する。なお、プリンター３は、配布員４の所有物でもよいし、ポスティング業者１Ａから貸与された物でもよい。
【００１６】
図１では、１人の配布員４を図示している。本実施形態では、図１で示す配布員４は、チラシＴＳの配布を行う担当エリアＴＡが「Ａエリア」の配布員４である。図示は省略しているが、ポスティング業者１Ａと所定の契約を結ぶ配布員４には、「Ａエリア」以外のエリアを担当する配布員４が含まれる。なお、「Ａエリア」を担当する配布員４の数は、あくまで一例であって１人に限定されず、複数でもよい。
【００１７】
図１に示すように、広告システム１００は、配布員４が使用するタブレット端末５を備える。タブレット端末５は、制御装置の一例に対応する。タブレット端末５は、例えば、前面に広い領域にタッチパネル５３が設けられたタブレット型の端末装置であり、プリンター３と通信してプリンター３を制御する。なお、配布員４が使用するタブレット端末５は、配布員４の所有物でもよいし、ポスティング業者１Ａから貸与された物でもよい。また、本実施形態では、１台のタブレット端末５に対して１台のプリンター３が通信する場合を例示するが、タブレット端末５と通信するプリンター３の台数は複数でもよい。
【００１８】
図１に示すように、グローバルネットワークＧＮには、広告主２Ａが操作するＰＣである広告主ＰＣ２が複数接続する。本実施形態では、４つの広告主ＰＣ２がグローバルネットワークＧＮに接続する場合を例示する。広告主ＰＣ２には、ブラウザーが予めインストールされている。広告主２Ａは、広告主ＰＣ２にインストールされたブラウザーを立ち上げて、ポスティング業者１Ａが提供するＷｅｂページにアクセスし、Ｗｅｂページを介してポスティング業者１ＡにチラシＴＳの配布を依頼する。なお、グローバルネットワークＧＮに接続する広告主ＰＣ２の数は、あくまで一例であって４台に限定されず、さらに多くてもよく少なくてもよい。
【００１９】
図２は、広告システム１００が備える各装置の機能的構成を示すブロック図である。
【００２０】
ポスティングサーバー１は、サーバー制御部１０、及び、サーバーネットワーク通信部１１を備える。
【００２１】
サーバー制御部１０は、ＣＰＵやＭＰＵ等のプログラムを実行するプロセッサーであるサーバープロセッサー１１０、及び、サーバー記憶部１２０を備え、ポスティングサーバー１の各部を制御する。サーバー制御部１０は、サーバープロセッサー１１０が、サーバー記憶部１２０に記憶された制御プログラム１２０Ａを読み出して処理を実行するように、ハードウェア、及びソフトウェアの協働により各種処理を実行する。
【００２２】
サーバー記憶部１２０は、サーバープロセッサー１１０が実行するプログラムや、サーバープロセッサー１１０により処理されるデータを記憶する記憶領域を有する。サーバー記憶部１２０は、サーバープロセッサー１１０が実行する制御プログラム１２０Ａ、配布員管理データベース１２０Ｂ、依頼情報管理データベース１２０Ｃ、地図データ１２０Ｄ、その他の各種データを記憶する。サーバー記憶部１２０は、プログラムやデータを不揮発的に記憶する不揮発性記憶領域を有する。また、サーバー記憶部１２０は、揮発性記憶領域を備え、サーバープロセッサー１１０が実行するプログラムや処理対象のデータを一時的に記憶するワークエリアを構成してもよい。
【００２３】
図３は、配布員管理データベース１２０Ｂの一例を示す図である。
配布員管理データベース１２０Ｂの１件のレコードは、配布員ＩＤ１２Ｂ１、及び、担当エリア情報１２Ｂ２を有する。
【００２４】
図３では、レコードＲ１が図１に示す配布員４のレコードである。配布員管理データベース１２０Ｂは、レコードＲ１の他に、ポスティング業者１Ａと所定の契約を結んだ配布員４のレコードを有する。
【００２５】
配布員ＩＤ１２Ｂ１は、配布員４を識別する識別情報であり、レコードを新規で配布員管理データベース１２０Ｂに登録する際、配布員４に割り当てられる。
【００２６】
担当エリア情報１２Ｂ２は、配布員４がチラシＴＳの配布を行う担当エリアを示す情報である。担当エリア情報１２Ｂ２は、レコードを配布員管理データベース１２０Ｂに登録する際に、配布員４により、又は、ポスティング業者１Ａにより設定される。
【００２７】
図４は、依頼情報管理データベース１２０Ｃの１件のレコードが有する情報を模式的に示す図である。
図４に示すように、依頼情報管理データベース１２０Ｃの１件のレコードは、依頼情報ＩＤ１２Ｃ１と、依頼情報１２Ｃ２とを有する。
【００２８】
依頼情報ＩＤ１２Ｃ１は、広告主ＰＣ２から受信した依頼情報１２Ｃ２を識別する識別情報である。依頼情報１２Ｃ２については、後述する。
【００２９】
ポスティングサーバー１のサーバー制御部１０は、サーバーネットワーク通信部１１を介して広告主ＰＣ２から依頼情報１２Ｃ２を受信すると、依頼情報ＩＤ１２Ｃ１を生成し、生成した依頼情報ＩＤ１２Ｃ１を受信した依頼情報１２Ｃ２に対応付ける。そして、サーバー制御部１０は、依頼情報１２Ｃ２に依頼情報ＩＤ１２Ｃ１が対応付いたレコードを、依頼情報管理データベース１２０Ｃに格納する。
【００３０】
地図データ１２０Ｄは、地図上の道路を示す道路地図情報、建物や公園などの位置情報等を格納するデータである。
【００３１】
サーバーネットワーク通信部１１は、所定の通信規格に従った通信ハードウェアを備え、サーバー制御部１０の制御により、グローバルネットワークＧＮと接続する機器と所定の通信規格に従って通信する。ここでいうグローバルネットワークＧＮと接続する機器には、広告主ＰＣ２、及び、タブレット端末５が含まれる。サーバーネットワーク通信部１１が通信に使用する通信規格は、ＨＴＴＰや、ＷｅｂＳｏｃｋｅｔ等が例として挙げられる。
【００３２】
タブレット端末５は、端末制御部５０と、端末ネットワーク通信部５１と、端末通信部５２と、タッチパネル５３と、ＧＰＳユニット５４とを備える。端末制御部５０は、制御部の一例に対応し、端末ネットワーク通信部５１は、第２通信部の一例に対応し、端末通信部５２は、第１通信部の一例に対応し、ＧＰＳユニット５４は、位置検出部の一例に対応する。
【００３３】
端末制御部５０は、ＣＰＵやＭＰＵ等のプログラムを実行するプロセッサーである端末プロセッサー５１０、及び、端末記憶部５２０を備え、タブレット端末５の各部を制御する。端末制御部５０は、端末プロセッサー５１０が、端末記憶部５２０に記憶された制御プログラム５２０Ａを読み出して処理を実行するように、ハードウェア、及びソフトウェアの協働により各種処理を実行する。タブレット端末５には、専用アプリケーションプログラムが事前にインストールされる。以下の説明では、専用アプリケーションプログラムを単に「専用アプリ」といい「５２０Ｂ」の符号を付す。専用アプリ５２０Ｂは、プログラムの一例に対応する。専用アプリ５２０Ｂは、端末プロセッサー５１０により端末記憶部５２０から読み出されて実行されることで、端末制御部５０を、アプリケーション実行部５０００として機能させるアプリケーションプログラムである。アプリケーション実行部５０００の機能については後述する。
【００３４】
端末記憶部５２０は、端末プロセッサー５１０が実行するプログラムや、端末プロセッサー５１０により処理されるデータを記憶する記憶領域を有する。端末記憶部５２０は、端末プロセッサー５１０が実行する制御プログラム５２０Ａ、専用アプリ５２０Ｂ、その他の各種データを記憶する。端末記憶部５２０は、プログラムやデータを不揮発的に記憶する不揮発性記憶領域を有する。また、端末記憶部５２０は、揮発性記憶領域を備え、端末プロセッサー５１０が実行するプログラムや処理対象のデータを一時的に記憶するワークエリアを構成してもよい。
【００３５】
端末ネットワーク通信部５１は、所定の通信規格に従った通信ハードウェアを備え、端末制御部５０の制御により、グローバルネットワークＧＮと接続する機器と所定の通信規格に従って通信する。本実施形態において端末ネットワーク通信部５１が通信するグローバルネットワークＧＮと接続する機器は、ポスティングサーバー１である。
【００３６】
端末通信部５２は、所定の通信規格に従った通信ハードウェアにより構成され、端末制御部５０の制御で、プリンター３と通信する。タブレット端末５とプリンター３との間で行われる通信の通信規格は、無線通信規格でも有線通信規格でもよい。
【００３７】
タッチパネル５３は、液晶表示パネル等の表示パネルと、表示パネルに重ねて、或いは一体に設けられたタッチセンサーとを備える。表示パネルは、端末制御部５０の制御で、各種画像を表示する。タッチセンサーは、タッチ操作を検出し、端末制御部５０に出力する。端末制御部５０は、タッチセンサーからの入力に基づいて、タッチ操作に対応する処理を実行する。
【００３８】
ＧＰＳユニット５４は、図示せぬＧＰＳアンテナを介してＧＰＳ衛星から送信されるＧＰＳ信号を周期的に受信するためのハードウェアを備える。ＧＰＳユニット５４は、受信したＧＰＳ信号に基づいて、タブレット端末５とＧＰＳ衛星間の距離及び距離の変化率を所定数以上の衛星に対して測定することにより、タブレット端末５の現在位置を検出する。ＧＰＳユニット５４が検出するタブレット端末５の現在位置は、例えば、タブレット端末５の緯度、及び経度である。ＧＰＳユニット５４は、タブレット端末５の現在位置を示す現在位置情報を端末制御部５０に出力する。
【００３９】
プリンター３は、プリンター制御部３０と、プリンター通信部３１と、印刷部３２とを備える。
【００４０】
プリンター制御部３０は、ＣＰＵやＭＰＵ等のプログラムを実行するプロセッサーであるプリンタープロセッサー３１０、及び、プリンター記憶部３２０を備え、プリンター３の各部を制御する。プリンター制御部３０は、プリンタープロセッサー３１０が、プリンター記憶部３２０に記憶された制御プログラム３２０Ａを読み出して処理を実行するように、ハードウェア、及びソフトウェアの協働により各種処理を実行する。
【００４１】
プリンター記憶部３２０は、プリンタープロセッサー３１０が実行するプログラムや、プリンタープロセッサー３１０により処理されるデータを記憶する記憶領域を有する。プリンター記憶部３２０は、プリンタープロセッサー３１０が実行する制御プログラム３２０Ａ、その他の各種データを記憶する。プリンター記憶部３２０は、プログラムやデータを不揮発的に記憶する不揮発性記憶領域を有する。また、プリンター記憶部３２０は、揮発性記憶領域を備え、プリンタープロセッサー３１０が実行するプログラムや処理対象のデータを一時的に記憶するワークエリアを構成してもよい。
【００４２】
印刷部３２は、印刷媒体にインクを吐出してドットを形成するインクジェットヘッドや、インクジェットヘッドを走査方向に操作させるキャリッジ、キャリッジを駆動させるキャリッジ駆動モーター、印刷媒体を搬送する搬送ユニット、インクジェッドヘッドにインクを供給するインクタンク等の印刷に係る構成を備える。印刷部３２は、プリンター制御部３０の制御に従って、印刷媒体に画像を印刷する。特に、本実施形態の印刷部３２は、ポスティングサーバー１からタブレット端末５を介して受信された印刷データに基づいて、印刷媒体に広告画像ＫＧを印刷してチラシＴＳを発行する。
【００４３】
次に、広告システム１００の動作について説明する。
図５は、広告システム１００の動作を示すフローチャートである。図５において、フローチャートＦＡは、広告主ＰＣ２の動作を示す。また、フローチャートＦＢは、ポスティングサーバー１の動作を示す。また、フローチャートＦＣは、タブレット端末５の動作を示す。また、フローチャートＦＤは、プリンター３の動作を示す。
【００４４】
図５を参照した広告システム１００の動作では、ポスティングサーバー１が所定の周期で、配布員４にチラシＴＳの配布を依頼する。
【００４５】
フローチャートＦＡに示すように、広告主ＰＣ２は、広告主２Ａの操作に応じて、依頼情報１２Ｃ２をポスティングサーバー１に送信する（ステップＳＡ１）。
【００４６】
ここで、依頼情報１２Ｃ２をポスティングサーバー１に送信するまでの広告主ＰＣ２の動作を、依頼情報１２Ｃ２の詳細と共に説明する。
【００４７】
広告主２Ａは、広告主ＰＣ２を操作して広告主ＰＣ２にインストールされたブラウザーを立ち上げる。そして、広告主２Ａは、チラシＴＳの配布を依頼するためのＷｅｂページへアクセスを広告主ＰＣ２に指示する。なお、このＷｅｂページのＵＲＬは、所定の方法で広告主２Ａに事前に通知されている。
【００４８】
広告主ＰＣ２は、上記ＵＲＬにアクセスすると、Ｗｅｂページを表示させるＨＴＭＬファイルをポスティングサーバー１から受信し、受信したＨＴＭＬファイルに基づいてＷｅｂページを表示パネルに表示する。
【００４９】
広告主２Ａは、広告主ＰＣ２を操作して、表示されるＷｅｂページへチラシＴＳの配布依頼に係る情報を入力する。
【００５０】
本実施形態において、広告主２Ａによって入力されるチラシＴＳの配布依頼に係る情報は、広告主ＩＤ１２２１、アドレス情報１２２２、広告画像データ１２２３、配布期間情報１２２４、配布希望枚数情報１２２５、配布希望エリア情報１２２６、及び、配布対象情報１２２７を含む。
【００５１】
広告主ＩＤ１２２１は、広告主２Ａを識別するための識別情報であり、事前に所定の方法によって広告主２Ａに通知されている。
【００５２】
アドレス情報１２２２は、広告主ＰＣ２に所定の情報を送信するためアドレス情報であって、例えばメールアドレス等の情報である。
【００５３】
広告画像データ１２２３は、広告主２Ａの広告を示す広告画像ＫＧの画像データである。なお、広告画像データ１２２３は、広告主ＰＣ２にインストールされた所定のアプリケーションプログラムによって生成される。
【００５４】
配布期間情報は、チラシＴＳの配布期間を示す情報である。
【００５５】
配布希望枚数情報１２２５は、広告主２ＡがチラシＴＳの配布を希望する枚数である配布希望枚数を示す情報である。
【００５６】
配布希望エリア情報１２２６は、チラシＴＳの配布を希望するエリアである配布希望エリアを示す情報である。
【００５７】
配布対象情報１２２７は、例えば学生やアパートの住民等のチラシＴＳの配布対象を示す情報である。
【００５８】
広告主ＰＣ２は、広告主２ＡによってＷｅｂページへのチラシＴＳの配布依頼に係る情報の入力が完了すると、チラシＴＳの配布依頼を示す依頼情報１２Ｃ２をポスティングサーバー１に送信する。この依頼情報１２Ｃ２には、広告主２ＡがＷｅｂページに入力されたチラシＴＳの配布依頼に係る情報の他に、広告費用情報１２２８が含まれる。広告費用情報１２２８は、チラシＴＳの配布にかかる広告費用を示す。広告費用は、チラシＴＳの配布依頼に係る情報の入力が完了することによって、ＨＴＭＬファイルの機能によって入力された情報に基づき算出される。
【００５９】
図５の説明に戻り、フローチャートＦＢで示すように、ポスティングサーバー１のサーバー制御部１０は、広告主ＰＣ２から依頼情報１２Ｃ２を受信すると（ステップＳＢ１）、依頼情報１２Ｃ２を有するレコードを生成し、生成した当該レコードを依頼情報管理データベース１２０Ｃに格納する（ステップＳＢ２）。
【００６０】
次いで、サーバー制御部１０は、配布員４にチラシＴＳの配布を依頼する周期が到来したか否かを判別する（ステップＳＢ３）。
【００６１】
サーバー制御部１０は、依頼する周期が到来していないと判別した場合（ステップＳＢ３：ＮＯ）、再度、ステップＳＢ３の判別を実行する。なお、サーバー制御部１０は、ステップＳＢ３で肯定判別するまでの間に依頼情報１２Ｃ２を受信すると、受信した依頼情報１２Ｃ２を有するレコードを生成して依頼情報管理データベース１２０Ｃに格納する。
【００６２】
一方、サーバー制御部１０は、配布員４にチラシＴＳの配布を依頼する周期が到来したと判別した場合（ステップＳＢ３：ＹＥＳ）、依頼情報１２Ｃ２の配布期間情報１２２４に基づいて、依頼情報管理データベース１２０Ｃに格納された依頼情報１２Ｃ２から、今回の周期で処理対象とする依頼情報１２Ｃ２を特定する（ステップＳＢ４）。
【００６３】
例えば、ポスティングサーバー１が、１日周期で配布員４にチラシＴＳの配布を依頼する構成であるとする。この場合、サーバー制御部１０は、今回の周期でチラシＴＳの配布が行われるある１日を含む配布期間情報１２２４を有する依頼情報１２Ｃ２を、依頼情報管理データベース１２０Ｃから特定する。
【００６４】
次いで、ステップＳＢ４で特定した依頼情報１２Ｃ２に基づいて、サーバー制御部１０は、チラシＴＳの配布を依頼する配布員４を選択する（ステップＳＢ５）。
【００６５】
ステップＳＢ５において、サーバー制御部１０は、ステップＳＢ４で特定した依頼情報１２Ｃ２の全てについて、配布希望エリア情報１２２６が示す配布希望エリアを担当エリアＴＡとする配布員４を、配布員管理データベース１２０Ｂから選択する。なお、配布員管理データベース１２０Ｂから配布員４を選択するとの詳細な処理は、配布員管理データベース１２０Ｂが格納するレコードを選択することである。例えば、「Ａエリア」、「Ｂエリア」、及び、「Ｃエリア」のいずれかを示す配布希望エリア情報１２２６を有する依頼情報１２Ｃ２を、サーバー制御部１０がステップＳＢ４で特定しているとする。この場合、サーバー制御部１０は、「Ａエリア」、「Ｂエリア」、及び、「Ｃエリア」のそれぞれに対して１つずつ、依頼情報管理データベース１２０Ｃからレコードを特定する。なお、１のエリアに対して特定候補のレコードが複数ある場合、サーバー制御部１０は、予め定められた基準に基づいて候補の中から１のレコードを特定する。
【００６６】
なお、上述したステップＳＢ５の処理では、依頼情報１２Ｃ２が有する配布希望エリア情報１２２６と担当エリア情報１２Ｂ２とによる配布員４の選択を例示したが、さらに種々の選択条件に基づいて配布員４を選択してもよい。例えば、上記のようなエリアに基づく選択に加えて、配布員４がチラシＴＳを配布可能な日或いは期間を考慮して、サーバー制御部１０は、配布員管理データベース１２０Ｂから配布員４を選択してもよい。この場合、配布員４が配布可能な日或いは期間は、予め配布員４或いはポスティング業者１Ａによってポスティングサーバー１に登録されている。
【００６７】
サーバー制御部１０は、配布員４を選択すると、選択した配布員４のそれぞれに対して、チラシＴＳの配布依頼を示す配布依頼情報を生成する（ステップＳＢ６）。
【００６８】
ステップＳＢ６で生成される配布依頼情報には、経路情報、配布先順番情報、及び、１または複数の配布先位置情報が少なくとも含まれる。
経路情報は、配布員４の担当エリアＴＡにおいて、配布員４がチラシＴＳの配布を行う際の出発地から目的地までの経路ＫＲを示す情報である。出発地及び目的地は、チラシＴＳの配布先でもよいし、配布先以外の場所としてもよい。
配布先順番情報は、配布員４の担当エリアＴＡにおいて、配布員４がチラシＴＳの配布を行う配布先の順番を示す情報である。
配布先位置情報は、配布員４の担当エリアＴＡにおいて、チラシＴＳの配布先の位置を示す情報である。
【００６９】
ここで、ステップＳＢ５で選択したある配布員４に対して、配布依頼情報を生成する場合のステップＳＢ６の処理について説明する。サーバー制御部１０は、地図データ１２０Ｄを参照し、当該ある配布員４の担当エリアＴＡにおける配布先の候補を抽出する。次いで、サーバー制御部１０は、抽出した候補をチラシＴＳの配布先として確定する。次いで、サーバー制御部１０は、確定した配布先を経由する経路ＫＲを、所定の方法により地図データ１２０Ｄを参照して決定する。また、サーバー制御部１０は、経路ＫＲの決定に伴って、確定した配布先においてチラシＴＳの配布を行う配布先の順番を所定の方法により決定する。
【００７０】
サーバー制御部１０は、選択した配布員４のそれぞれに対して配布依頼情報を生成すると、生成した配布依頼情報を配布員４の配布員Ｄ１２Ｂ１に対応付けてサーバー記憶部１２０に記憶させる（ステップＳＢ６）。
【００７１】
次いで、サーバー制御部１０は、サーバーネットワーク通信部１１により配布依頼情報を、対応する配布員４のタブレット端末５に送信する（ステップＳＢ６）。
【００７２】
フローチャートＦＣを参照して、タブレット端末５の端末制御部５０のアプリケーション実行部５０００は、端末ネットワーク通信部５１により配布依頼情報を受信する（ステップＳＣ１）。
【００７３】
次いで、アプリケーション実行部５０００は、チラシＴＳの配布を開始するか否かを判別する（ステップＳＣ２）。
【００７４】
例えば、アプリケーション実行部５０００は、ＧＰＳユニット５４が検出した現在位置と、配布依頼情報の配布先順番情報が示す順番において最初の配布先の位置と、の離間距離が所定の距離以下になった場合に、ステップＳＣ２で肯定判別する。また、例えば、アプリケーション実行部５０００は、チラシＴＳの配布の開始を指示する操作をタッチパネル５３によって検出した場合、ステップＳＣ２において肯定判別する。
【００７５】
アプリケーション実行部５０００は、チラシＴＳの配布を開始すると判別した場合（ステップＳＣ２：ＹＥＳ）、ＧＰＳユニット５４が検出した現在位置を示す現在位置情報と配布員ＩＤ１２Ｂ１とを、端末ネットワーク通信部５１によりポスティングサーバー１に送信する（ステップＳＣ３）。なお、配布員ＩＤ１２Ｂ１は、専用アプリ５２０Ｂの機能によって、予めタブレット端末５の所定の記憶領域に記憶されている。
【００７６】
フローチャートＦＢを参照して、サーバー制御部１０は、サーバーネットワーク通信部１１によって、配布員ＩＤ１２Ｂ１と現在位置情報とをタブレット端末５から受信したか否かを判別する（ステップＳＢ９）。ステップＳＣ３で送信が行われた場合、サーバー制御部１０は、ステップＳＢ９において肯定判別する。
【００７７】
サーバー制御部１０は、ステップＳＢ９において否定判別した場合、処理をステップＳＢ１２に移行させる。一方、サーバー制御部１０は、ステップＳＢ９で肯定判別した場合、受信した現在位置情報と、受信した配布員ＩＤ１２Ｂ１に対応する配布依頼情報に含まれる配布先順番情報とに基づいて、配布員４が配布するチラシＴＳの発行に係る印刷データを生成する（ステップＳＢ１０）。
【００７８】
詳細について図６を参照して説明するが、ステップＳＢ１０において、サーバー制御部１０は、以下の処理を実行する。すなわち、サーバー制御部１０は、受信した現在位置情報が示す現在位置と、配布先順番情報が示す配布先の順番において最初の配布先の位置との離間距離が所定距離以下であって、且つ、最初の配布先に向けたチラシＴＳの発行に係る印刷データを生成していない場合、最初の配布先に向けたチラシＴＳの発行に係る印刷データを生成する。また、サーバー制御部１０は、受信した現在位置情報が示す現在位置と、直近でチラシＴＳの配布が完了した配布先の位置との離間距離が所定距離以下である場合、配布依頼情報が示す配布先の順番において直近で配布が完了した配布先の次の配布先に向けたチラシＴＳの発行に係る印刷データを生成する。
【００７９】
サーバー制御部１０は、印刷データを生成すると、生成した印刷データと、生成した印刷データにより発行されるチラシＴＳの配布先の位置を示す情報とを、サーバーネットワーク通信部１１によりタブレット端末５に送信する（ステップＳＢ１１）。
【００８０】
フローチャートＦＣを参照して、タブレット端末５のアプリケーション実行部５０００は、印刷データと配布先の位置を示す情報とを、端末ネットワーク通信部５１により受信する（ステップＳＣ４）。
【００８１】
次いで、アプリケーション実行部５０００は、ステップＳＣ４で受信した印刷データを、端末通信部５２によりプリンター３へ送信する（ステップＳＣ５）。
【００８２】
フローチャートＦＣを参照し、プリンター３のプリンター制御部３０は、印刷データをタブレット端末５から受信したか否かを判別する（ステップＳＤ１）。ステップＳＣ５においてタブレット端末５が印刷データを送信すると、プリンター制御部３０は、ステップＳＤ１において肯定判別する。
【００８３】
プリンター制御部３０は、印刷データをタブレット端末５から受信したと判別した場合（ステップＳＤ１：ＹＥＳ）、印刷部３２を制御して、受信した印刷データに基づく印刷を実行しチラシＴＳを発行する（ステップＳＤ２）。そして、プリンター制御部３０は、処理をステップＳＤ１に戻す。
【００８４】
フローチャートＦＣの説明に戻り、アプリケーション実行部５０００は、印刷データをタブレット端末５に送信すると、配布依頼情報が含む配布先順番情報、配布依頼情報が含む経路情報、タブレット端末５の現在位置を示す現在位置情報、及び、ステップＳＣ４で印刷データと共にポスティングサーバー１から受信した配布先の位置を示す情報をタッチパネル５３により表示する（ステップＳＣ６）。配布先順番情報をタッチパネル５３により表示することは、配布先順番情報を報知することの一例に対応する。
【００８５】
この表示により、配布員４は、どのような経路ＫＲ及び配布先の順番でチラシＴＳを配布すればよいかを容易に認識できるため、担当エリアＴＡにおいてチラシＴＳを容易に配布できる。また、この表示により、配布員４は、プリンター３が発行したチラシＴＳをどの配布先に配布すればよいのかを容易に認識できるため、ある配布先に向けて発行されたチラシＴＳが誤った配布先に配布してしまうことがない。
【００８６】
次いで、アプリケーション実行部５０００は、配布先へのチラシＴＳの配布が完了したか否かを判別する（ステップＳＣ７）。例えば、アプリケーション実行部５０００は、配布先へのチラシＴＳの配布が完了したことを確定するためのボタンをタッチパネル５３により表示しており、当該ボタンが操作された場合、ステップＳＣ７で肯定判別する。
【００８７】
アプリケーション実行部５０００は、配布先へのチラシＴＳの配布が完了したと判別した場合（ステップＳＣ７：ＹＥＳ）、チラシＴＳを配布していない未配布の配布先があるか否かを判別する（ステップＳＣ８）。アプリケーション実行部５０００は、ポスティングサーバー１から受信した配布先の位置や、配布依頼情報に含まれる配布先順番情報、配布依頼情報に含まれる経路情報、タブレット端末５の現在位置情報等に基づいてステップＳＣ８の判別を実行する。
【００８８】
アプリケーション実行部５０００は、未配布の配布先があると判別した場合（ステップＳＣ８：ＹＥＳ）、処理をステップＳＣ３に戻し、再度、ＧＰＳユニット５４が検出した現在位置を示す現在位置情報と配布員ＩＤ１２Ｂ１とを、端末ネットワーク通信部５１によりポスティングサーバー１に送信する。
【００８９】
一方で、アプリケーション実行部５０００は、未配布の配布先がないと判別した場合（ステップＳＣ８：ＮＯ）、端末ネットワーク通信部５１により、全ての配布先へチラシＴＳの配布が完了したことを示す配布完了通知をポスティングサーバー１に送信する（ステップＳＣ９）。なお、この通知には、配布員ＩＤ１２Ｂ１が含まれる。
【００９０】
ここで、図６を参照して、ステップＳＢ９からステップＳＢ１１までのポスティングサーバー１の動作と、ステップＳＣ３からステップＳＣ９までのタブレット端末５の動作とについて、具体的に説明する。
【００９１】
図６は、ポスティングサーバー１とタブレット端末５との動作を具体的に説明するための図である。
【００９２】
図６に示す配布員４は、図１に示す配布員４と同じ人であり、担当エリアＴＡが「Ａエリア」である場合を例示する。また、図６では、戸建てＫＤ−１、ＫＤ−２、ＫＤ−３、及び、アパートＡＰ−１、ＡＰ−２の５つの配布先で、配布員４がチラシＴＳを配布する場合を例示する。また、図６では、サーバー制御部１０が、戸建てＫＤ−１、ＫＤ−２、ＫＤ−３、及び、アパートＡＰ−１、ＡＰ−２を経由する経路であって、出発地を戸建てＫＤ−１として目的地をアパートＡＰ−２とした経路ＫＲを決定したとする。また、図６では、サーバー制御部１０が、チラシＴＳを配布する配布先の順番として、戸建てＫＤ−１、戸建てＫＤ−２、戸建てＫＤ−３、アパートＡＰ−１、アパートＡＰ−２順を決定したとする。
【００９３】
また、図６では、ポスティング業者１Ａによって、配布員４の担当エリアＴＡである「Ａエリア」内に、戸建てエリアＡＲ−１と、新興住宅エリアＡＲ−２、学生エリアＡＲ−３、及び、アパートエリアＡＲ−４が予め設定されているとする。戸建てエリアＡＲ−１は、戸建てが単位当たりの所定範囲に所定数以上存在するエリアである。新興住宅エリアＡＲ−２は、新興住宅が単位当たりの所定範囲に所定数以上が存在するエリアである。学生エリアとは、学生が単位当たりの所定範囲に所定人数以上住むエリアである。アパートエリアとは、アパートが単位当たりの所定範囲に所定数以上存在するエリアである。図６では、戸建てエリアＡＲ−１に、戸建てＫＤ−１、ＫＤ−２、ＫＤ−３が属しているとする。また、図６では、新興住宅エリアＡＲ−２に、戸建てＫＤ−２が属しているとする。また、図６では、学生エリアＡＲ−３に、アパートＡＰ−１が属しているとする。また、図６では、アパートエリアＡＲ−４に、アパートＡＰ−１、ＡＰ−２が属しているとする。
【００９４】
また、図６では、広告主２Ａ−１、２Ａ−２、２Ａ−３、２Ａ−４の依頼情報１２Ｃ２のそれぞれは、「Ａエリア」を示す配布希望エリア情報１２２６を含むとする。さらに、図６では、広告主２Ａ−１の依頼情報１２Ｃ２は、チラシＴＳの配布対象として「戸建ての住民」を示す配布対象情報１２２７を含むとする。また、広告主２Ａ−２の依頼情報１２Ｃ２は、チラシＴＳの配布対象として「戸建ての住民」、及び、「アパートの住民」を示す配布対象情報１２２７を含むとする。また、広告主２Ａ−３の依頼情報１２Ｃ２は、チラシＴＳの配布対象として「アパートの住民」、及び、「新興住宅の住民」を示す配布対象情報１２２７を含むとする。また、広告主２Ａ−４の依頼情報１２Ｃ２は、チラシＴＳの配布対象として「学生の住民」を示す配布対象情報１２２７を含むとする。
【００９５】
配布員４が戸建てＫＤ−１の付近に位置しチラシＴＳの配布を開始すると、タブレット端末５は、ステップＳＣ３において、ポスティングサーバー１に現在位置情報と配布員ＩＤ１２Ｂ１とを送信する。ポスティングサーバー１は、ステップＳＢ１０において、受信した現在位置情報に基づいて配布員４が戸建てＫＤ−１付近に位置であり、且つ、印刷データを未だ生成していないと判定する。なお、配布員４が戸建てＫＤ−１付近に位置しているか否かは、タブレット端末５の現在位置と戸建てＫＤ−１の位置との離間距離が所定距離以下であるか否かに基づき判定される。サーバー制御部１０は、当該判定後、最初の配布先である戸建てＫＤ−１向けのチラシＴＳの発行に係る印刷データを生成する。生成に際して、ポスティングサーバー１は、戸建てＫＤ−１が戸建てエリアＡＲ−１に属するため、配布対象が「戸建ての住民」を示す広告主２Ａ−１、２Ａ−２の広告画像ＫＧを選択する。なお、図６では、「Ａ」の文字が付された広告画像ＫＧが、広告主２Ａ−１の広告画像ＫＧであり、「Ｂ」の文字が付された広告画像ＫＧが、広告主２Ａ−２の広告画像ＫＧである。次いで、ポスティングサーバー１は、選択した広告主２Ａ−１、２Ａ−２の広告画像ＫＧの印刷に係る印刷データを生成する。ポスティングサーバー１は、ステップＳＣ１１において、生成した印刷データをプリンター３に送信する。タブレット端末５は、受信した印刷データを、ステップＳＢ１１においてプリンター３に送信する。これにより、プリンター３は、ステップＳＤ２において、戸建てＫＤ−１向けのチラシＴＳとして、図６に示すように広告主２Ａ−１、２Ａ−２の広告画像ＫＧが印刷されたチラシＴＳを発行する。
【００９６】
配布員４は、携帯するタブレット端末５の現在位置と、戸建てＫＤ−１の位置と、チラシＴＳを配布する経路ＫＲと、配布先の順番とを、タブレット端末５で確認しつつ、戸建てＫＤ−１に戸建てＫＤ−１向けのチラシＴＳを配布する。図６の説明では、配布員４は、ポスティング業者１Ａから、配布先へのチラシＴＳの配布が完了した時点で完了したことをタブレット端末５に入力することが指示されているとする。そのため、配布員４は、戸建てＫＤ−１へチラシＴＳの配布が完了すると、タブレット端末５を操作して戸建てＫＤ−１へのチラシＴＳの配布が完了したことを入力する。
【００９７】
すると、タブレット端末５は、ステップＳＣ７：ＹＥＳ、ステップＳＣ８：ＹＥＳの判別を行い、再度、ポスティングサーバー１に現在位置情報と配布員ＩＤ１２Ｂ１とを送信する。ポスティングサーバー１は、ステップＳＢ１０において、受信した現在位置情報に基づいて配布員４が戸建てＫＤ−１付近に位置であり、且つ、戸建てＫＤ−１向けの印刷データを既に生成していると判定して、決定した配布先の順番に基づき戸建てＫＤ−１の次の配布先が戸建てＫＤ−２であると判定する。そして、サーバー制御部１０は、戸建てＫＤ−２向けのチラシＴＳの発行に係る印刷データを生成する。この場合では、戸建てＫＤ−１が第１の配布先の一例に対応し、戸建てＫＤ−２が第２の配布先の一例に対応する。生成に際して、ポスティングサーバー１は、戸建てＫＤ−２が戸建てエリアＡＲ−１、及び新興住宅エリアＡＲ−２に属するため、配布対象が「戸建ての住民」、及び、「新興住宅の住民」の少なくともいずれかを示す広告主２Ａ−１、２Ａ−２、２Ａ−３の広告画像ＫＧを選択する。なお、図６では、「Ｃ」の文字が付された広告画像ＫＧが、広告主２Ａ−３の広告画像ＫＧである。次いで、サーバー制御部１０は、選択した広告主２Ａ−１、２Ａ−２、２Ａ−３の広告画像ＫＧの印刷に係る印刷データを生成する。ポスティングサーバー１は、ステップＳＢ１１において、生成した印刷データをプリンター３に送信する。これにより、プリンター３は、ステップＳＤ２において、戸建てＫＤ−２向けのチラシＴＳとして、図６に示すように広告主２Ａ−１、２Ａ−２、２Ａ−３の広告画像ＫＧが印刷されたチラシＴＳを発行する。
【００９８】
配布員４は、携帯するタブレット端末５の現在位置と、戸建てＫＤ−２の位置と、チラシＴＳを配布する経路ＫＲと、配布先の順番とを、タブレット端末５で確認しつつ、戸建てＫＤ−２へチラシＴＳを配布する。前述した通り、図６の説明では、配布員４は、ポスティング業者１Ａから、配布先へのチラシＴＳの配布が完了した時点で完了したことをタブレット端末５に入力することが指示されている。そのため、配布員４は、戸建てＫＤ−２へチラシＴＳの配布が完了すると、タブレット端末５を操作して戸建てＫＤ−２へのチラシＴＳの配布が完了したことを入力する。
【００９９】
すると、タブレット端末５は、ステップＳＣ７：ＹＥＳ、ステップＳＣ８：ＹＥＳの判別をし、再度、ポスティングサーバー１に現在位置情報と配布員ＩＤ１２Ｂ１とを送信する。ポスティングサーバー１は、ステップＳＢ１０において、受信した現在位置情報に基づいて配布員４が戸建てＫＤ−２付近に位置であり、且つ、戸建てＫＤ−２向けの印刷データを既に生成していると判定して、決定した配布先の順番に基づき戸建てＫＤ−２の次の配布先が戸建てＫＤ−３であると判定する。なお、配布員４が戸建てＫＤ−２付近に位置しているか否かは、タブレット端末５の現在位置と戸建てＫＤ−２の位置との離間距離が所定距離以下であるか否かに基づき判定される。サーバー制御部１０は、次の配布先が戸建てＫＤ−３であると判定すると、戸建てＫＤ−３向けのチラシＴＳの発行に係る印刷データを生成する。なお、この場合では、戸建てＫＤ−２が第１の配布先の一例に対応し、戸建てＫＤ−３が第２の配布先の一例に対応する。生成に際して、ポスティングサーバー１は、戸建てＫＤ−３が戸建てエリアＡＲ−３に属するため、配布対象が「戸建ての住民」を示す広告主２Ａ−１、２Ａ−２の広告画像ＫＧを選択する。次いで、ポスティングサーバー１は、選択した広告主２Ａ−１、２Ａ−２の広告画像ＫＧの印刷に係る印刷データを生成する。ポスティングサーバー１は、ステップＳＢ１１において、生成した印刷データをプリンター３に送信する。これにより、プリンター３は、ステップＳＤ２において、戸建てＫＤ−３向けのチラシＴＳとして、図６に示すように広告主２Ａ−１、２Ａ−２の広告画像ＫＧが印刷されたチラシＴＳを発行する。
【０１００】
配布員４は、携帯するタブレット端末５の現在位置と、戸建てＫＤ−３の位置と、チラシＴＳを配布する経路と、配布先の順番とを、タブレット端末５で確認しつつ、戸建てＫＤ−３へチラシＴＳを配布する。配布員４は、戸建てＫＤ−３へチラシＴＳの配布が完了すると、タブレット端末５を操作して戸建てＫＤ−３へのチラシＴＳの配布が完了したことを入力する。
【０１０１】
すると、タブレット端末５は、ステップＳＣ７：ＹＥＳ、ステップＳＣ８：ＹＥＳの判別をし、再度、ポスティングサーバー１に現在位置情報と配布員ＩＤ１２Ｂ１とを送信する。ポスティングサーバー１は、ステップＳＢ１０において、受信した現在位置情報に基づいて配布員４が戸建てＫＤ−３付近に位置し、且つ、戸建てＫＤ−３向けの印刷データを既に生成していると判定して、決定した配布先の順番に基づき戸建てＫＤ−３の次の配布先がアパートＡＰ−１であると判定する。なお、配布員４が戸建てＫＤ−３付近に位置しているか否かは、タブレット端末５の現在位置と戸建てＫＤ−３の位置との離間距離が所定距離以下であるか否かに基づき判定される。サーバー制御部１０は、次の配布先がアパートＡＰ−１であると判定すると、アパートＡＰ−１向けのチラシＴＳの発行に係る印刷データを生成する。この場合では、戸建てＫＤ−３が第１の配布先の一例に対応し、アパートＡＰ−１が第２の配布先の一例に対応する。生成に際して、ポスティングサーバー１は、アパートＡＰ−１が学生エリアＡＲ−３、及びアパートエリアＡＲ−４に属するため、配布対象が「学生の住民」、及び、「アパートの住民」の少なくともいずれかを示す広告主２Ａ−２、２Ａ−３、２Ａ−４の広告画像ＫＧを選択する。次いで、ポスティングサーバー１は、選択した広告主２Ａ−２、２Ａ−３、２Ａ−４の広告画像ＫＧの印刷に係る印刷データを生成する。ポスティングサーバー１は、ステップＳＢ１１において、生成した印刷データをプリンター３に送信する。これにより、プリンター３は、ステップＳＤ２において、アパートＡＰ−１向けのチラシＴＳとして、図６に示すように広告主２Ａ−２、２Ａ−３、２Ａ−４の広告画像ＫＧが印刷されたチラシＴＳを発行する。
【０１０２】
配布員４は、携帯するタブレット端末５の現在位置と、アパートＡＰ−１の位置と、チラシＴＳを配布する経路と、配布先の順番とを、タブレット端末５で確認しつつ、アパートＡＰ−１へチラシＴＳを配布する。配布員４は、アパートＡＰ−１へチラシＴＳの配布が完了すると、タブレット端末５を操作してアパートＡＰ−１へのチラシＴＳの配布が完了したことを入力する。
【０１０３】
すると、タブレット端末５は、ステップＳＣ７：ＹＥＳ、ステップＳＣ８：ＹＥＳの判別をし、再度、ポスティングサーバー１に現在位置情報と配布員ＩＤ１２Ｂ１とを送信する。ポスティングサーバー１は、ステップＳＢ１０において、受信した現在位置情報に基づいて配布員４がアパートＡＰ−１付近に位置し、且つ、アパートＡＰ−１向けの印刷データを既に生成していると判定して、決定した配布先の順番に基づいてアパートＡＰ−１の次の配布先がアパートＡＰ−２であると判定する。なお、配布員４がアパートＡＰ−１付近に位置しているか否かは、タブレット端末５の現在位置とアパートＡＰ−１の位置との離間距離が所定距離以下であるか否かに基づき判定される。サーバー制御部１０は、次の配布先がアパートＡＰ−２であると判定すると、アパートＡＰ−２向けのチラシＴＳの発行に係る印刷データを生成する。この場合では、アパートＡＰ−１が第１の配布先の一例に対応し、アパートＡＰ−２が第２の配布先の一例に対応する。生成に際して、ポスティングサーバー１は、アパートＡＰ−２がアパートエリアＡＲ−４に属するため、配布対象が「アパートの住民」である広告主２Ａ−２、２Ａ−３の広告画像ＫＧを選択する。次いで、ポスティングサーバー１は、選択した広告主２Ａ−２、２Ａ−３の広告画像ＫＧの印刷に係る印刷データを生成する。ポスティングサーバー１は、ステップＳＢ１１において、生成した印刷データをプリンター３に送信する。これにより、プリンター３は、ステップＳＤ２において、アパートＡＰ−２向けのチラシＴＳとして、図６に示すように広告主２Ａ−２、２Ａ−３の広告画像ＫＧが印刷されたチラシＴＳを発行する。
【０１０４】
配布員４は、携帯するタブレット端末５の現在位置と、アパートＡＰ−２の位置と、チラシＴＳを配布する経路とを、タブレット端末５で確認しつつ、アパートＡＰ−２へチラシＴＳを配布する。配布員４は、アパートＡＰ−２へのチラシＴＳの配布が完了すると、タブレット端末５を操作してアパートＡＰ−２へのチラシＴＳの配布が完了したことを入力する。すると、タブレット端末５は、アパートＡＰ−２の次にチラシＴＳを配布する配布先がないため、ステップＳＣ７：ＹＥＳ、ステップＳＣ８：ＮＯの判別をし、ステップＳＣ９において、ポスティングサーバー１に配布完了通知を送信する。
【０１０５】
なお、図６を参照した印刷データの生成では、サーバー制御部１０が、配布先がどのエリアに属するかで広告画像ＫＧを選択する構成であるが、広告画像ＫＧの選択は、タブレット端末５から受信する現在位置情報に基づけば、この構成に限定されない。例えば、サーバー制御部１０は、図６で説明した選択に加えて、依頼情報１２Ｃ２の広告費用情報１２２８が示す広告費用に基づいて広告画像ＫＧを選択する構成でもよい。また、例えば、サーバー制御部１０は、図６で説明した選択に加えて、依頼情報１２Ｃ２の配布希望枚数情報１２２５が示す配布希望枚数に基づいて広告画像ＫＧを選択する構成でもよい。
【０１０６】
図５のフローチャートの説明に戻り、フローチャートＦＢを参照して、ポスティングサーバー１のサーバー制御部１０は、今回の周期で依頼した全ての配布員４のタブレット端末５から配布完了通知を受信したか否かを判別する（ステップＢ１２）。
【０１０７】
サーバー制御部１０は、全ての配布員４のタブレット端末５から配布完了通知を受信していないと判別した場合（ステップＳＢ１２：ＮＯ）、処理をステップＳＢ９に戻す。一方で、サーバー制御部１０は、全ての配布員４のタブレット端末５から配布完了通知を受信したと判別した場合（ステップＳＢ１２：ＹＥＳ）、今回の周期で依頼情報１２Ｃ２に基づくチラシＴＳの配布が完了したことを示す依頼完了通知を、アドレス情報１２２２に基づいて対応する広告主ＰＣ２に送信する（ステップＳＢ１３）。
【０１０８】
フローチャートＦＡを参照して、広告主ＰＣ２は、依頼完了通知を受信すると（ステップＳＡ２）、依頼完了通知の受信に対応する処理を実行する（ステップＳＡ３）。なお、対応する処理としては、表示パネル等により依頼情報１２Ｃ２に基づくチラシＴＳの配布が完了したことを報知する処理が一例として挙げられる。
【０１０９】
次に、上述した実施形態の変形例を複数説明する。
第１の変形例では、ポスティングサーバー１がプリンター３に直接印刷データを送信する。この構成の場合、プリンター３は、グローバルネットワークＧＮに接続しポスティングサーバー１と通信可能な通信ハードウェアを具備する。また、この構成の場合、ポスティングサーバー１は、タブレット端末５に印刷データを送信しない。
【０１１０】
第２の変形例では、タブレット端末５に代わってプリンター３が、配布員４の現在位置としてプリンター３の現在位置を示す現在位置情報をポスティングサーバー１に送信する。この構成の場合、プリンター３は、タブレット端末５が具備するＧＰＳユニット５４等の現在位置を検出するハードウェアを備える。また、この構成の場合、広告システム１００は、以下の動作を実行する。すなわち、タブレット端末５は、チラシＴＳの配布を開始すると判別すると、プリンター３を操作してプリンター３の現在位置情報をポスティングサーバー１に送信する旨を報知する。配布員４は、操作パネル等によってプリンター３に現現在位置情報の送信を指示する。そして、プリンター３は、現在位置情報をポスティングサーバー１に送信する。また、タブレット端末５は、未配布の配布先があると判別すると、プリンター３を操作してプリンター３の現在位置情報をポスティングサーバー１に送信する旨を報知する。配布員４は、操作パネル等によってプリンター３に現現在位置情報の送信を指示する。そして、プリンター３は、現在位置情報をポスティングサーバー１に送信する。
【０１１１】
第３の変形例では、プリンター３は、タブレット端末５が具備するＧＰＳユニット５４等の現在位置を検出するハードウェアと、上述した端末制御部５０の機能を含む構成とする。この場合、プリンター３は、プリンター３の現在位置を示す現在位置情報をポスティングサーバー１に送信し、ポスティングサーバー１から広告の印刷データを受信すると印刷を行うことにより、広告画像ＫＧを印刷する。
【０１１２】
以上、説明したように、広告システム１００は、タブレット端末５とポスティングサーバー１とが通信して、広告画像ＫＧが印刷されたチラシＴＳをプリンター３により発行する。広告システム１００において、タブレット端末５は、現在位置を検出し、検出した現在位置を示す現在位置情報をポスティングサーバー１に送信する。ポスティングサーバー１は、プリンター３、又は、タブレット端末５から現在位置情報を受信し、受信した現在位置情報が示す現在位置に応じた広告画像ＫＧを、広告主２Ａから取得した複数の広告画像ＫＧから選択し、選択した広告画像ＫＧの印刷に係る印刷データを生成してタブレット端末５に送信する。タブレット端末５は、印刷データを受信した場合、受信した印刷データに基づく印刷をプリンター３に実行させる。
【０１１３】
また、広告システム１００の制御方法では、タブレット端末５は、現在位置を検出し、検出した現在位置を示す現在位置情報をポスティングサーバー１に送信する。ポスティングサーバー１は、プリンター３、又は、タブレット端末５から現在位置情報を受信し、受信した現在位置情報が示す現在位置に基づく広告画像ＫＧを、広告主２Ａから取得した複数の広告画像ＫＧから選択し、選択した広告画像ＫＧの印刷に係る印刷データを生成してタブレット端末５に送信する。タブレット端末５は、印刷データを受信した場合、受信した印刷データに基づく印刷をプリンター３に実行させる。
【０１１４】
また、タブレット端末５は、プリンター３と通信する端末通信部５２と、ポスティングサーバー１と通信する端末ネットワーク通信部５１と、ＧＰＳユニット５４と、端末制御部５０と、を備える。端末制御部５０は、ＧＰＳユニット５４が検出した現在位置を示す現在位置情報を端末ネットワーク通信部５１によりポスティングサーバー１へ送信する。端末制御部５０は、広告主２Ａから取得した複数の広告画像ＫＧからポスティングサーバー１がタブレット端末５の現在位置に基づいて選択した広告画像ＫＧの印刷に係る印刷データを、端末ネットワーク通信部５１によりポスティングサーバー１から受信し、受信した印刷データを、端末通信部５２によりプリンター３へ送信して、印刷データに基づく印刷をプリンター３に実行させる。
【０１１５】
また、専用アプリ５２０Ｂは、端末制御部５０に、ＧＰＳユニット５４が検出した現在位置を示す現在位置情報を端末ネットワーク通信部５１によりポスティングサーバー１へ送信させ、広告主２Ａから取得した複数の広告画像ＫＧからポスティングサーバー１がタブレット端末５の現在位置に基づいて選択した広告画像ＫＧの印刷に係る印刷データを、端末ネットワーク通信部５１によりポスティングサーバー１から受信させ、受信した印刷データを、端末通信部５２によりプリンター３へ送信させる。
【０１１６】
広告システム１００、広告システム１００の制御方法、タブレット端末５、及び、専用アプリ５２０Ｂの構成によれば、タブレット端末５又はプリンター３の現在位置に基づいて選択された広告が載るチラシＴＳを発行できる。そのため、チラシＴＳに載せる広告を異ならせる際に、例えば配布員４の担当エリアＴＡ内ではチラシＴＳに載る広告が異ならせることができないといったようなエリアの制約がない。したがって、広告システム１００、広告システム１００の制御方法、タブレット端末５、及び、専用アプリ５２０Ｂは、チラシＴＳの配布先に応じてチラシＴＳに載る広告を異ならせることができる。また、タブレット端末５又はプリンター３の現在位置に基づいて選択された広告が載るチラシＴＳを発行できるため、配布先の関心が高い広告が載ったチラシＴＳを配布先に配布できるようになり、広告効果の高いチラシＴＳの配布を実現できる。
【０１１７】
広告システム１００において、ポスティングサーバー１は、チラシＴＳを配布する配布先の順番を決定する。プリンター３又はタブレット端末５は、ある配布先でチラシＴＳの配布が完了した場合、現在位置情報をポスティングサーバー１に送信する。ポスティングサーバー１は、プリンター３又はタブレット端末５から受信した現在位置情報、及び、決定した配布先の順番に基づいて、当該ある配布先の次の配布先に配布するチラシＴＳの印刷データを生成する。なお、ある配布先は、第１の配布先に相当し、当該ある配布先の次の配布先は、第２の配布先に相当する。
【０１１８】
この構成によれば、次の配布先へのチラシＴＳの配布に際し、事前に次の配布先に配布するチラシＴＳを発行できる。これにより、次の配布先に配布員４が到着しているにも関わらずチラシＴＳの発行待ちが発生するといった事態が生じることを回避でき、配布員４は、配布先に応じて広告が異なるチラシＴＳを、効率良く複数の配布先に配布することができる。
【０１１９】
ポスティングサーバー１は、決定した配布先の順番を示す配布先順番情報をタブレット端末５に送信する。タブレット端末５は、配布先順番情報を報知する。
【０１２０】
この構成によれば、配布員４が、チラシＴＳの配布先の順番を確認しつつチラシＴＳの配布を行えるため、ある配布先に向けて発行されたチラシＴＳを誤った配布先に配布してしまうことを防止できる。
【０１２１】
プリンター３は、タブレット端末５が具備するＧＰＳユニット５４等の現在位置を検出するハードウェアと、上述した端末制御部５０の機能を実行する構成を含む。
【０１２２】
この構成によれば、プリンター３が、タブレット端末５が具備するＧＰＳユニット５４等の現在位置を検出するハードウェアと、タブレット端末５の機能を実行可能な構成とを具備する構成であっても、上述した効果と同様の効果を奏する。
【０１２３】
上述した実施形態、及び、変形例は、あくまでも本発明の一態様を示すものであり、本発明の範囲内で任意に変形および応用が可能である。
【０１２４】
例えば、上述した実施形態では、携帯型のプリンター３を例示したが、据え置き型のプリンター３でもよい。この場合、配布員４は、車両等の移動体に少なくともプリンター３を設け、移動体を移動させつつチラシＴＳを配布先へ配布する。
【０１２５】
また、例えば、ポスティングサーバー１は、配布依頼情報と共に、チラシＴＳの配布が禁止された場所を示す情報を送信する構成でもよい。この構成の場合、ポスティングサーバー１は、チラシＴＳの配布が禁止された場所を示す情報を、ポスティング業者１Ａによって変更可能な態様で管理する。これにより、配布員４は、チラシＴＳの配布が禁止された場所にチラシＴＳを誤って配布してしまうことを防止できる。
【０１２６】
また、例えば、上述した実施形態又は変形例では、ポスティングサーバー１が印刷データをタブレット端末５又はプリンター３へ送信する構成であるが、印刷データに代わってチラシＴＳの全面に印刷する１の画像を示すチラシ画像データを送信する構成でもよい。なお、チラシ画像データが示す画像には、ポスティングサーバー１が選択した広告画像ＫＧが１又は複数含まれる。この場合、アプリケーション実行部５０００、又は、プリンター３のプリンター制御部３０は、受信したチラシ画像データに基づいて、チラシＴＳを発行するための印刷データを生成する。
【０１２７】
また、サーバー制御部１０、端末制御部５０、及び、プリンター制御部３０の機能は、複数のプロセッサー、又は、半導体チップにより実現してもよい。
【０１２８】
また、図２に示した各部は一例であって、具体的な実装形態は特に限定されない。つまり、必ずしも各部に個別に対応するハードウェアが実装される必要はなく、一つのプロセッサーがプログラムを実行することで各部の機能を実現する構成とすることも勿論可能である。また、上述した実施形態においてソフトウェアで実現される機能の一部をハードウェアとしてもよく、或いは、ハードウェアで実現される機能の一部をソフトウェアで実現してもよい。その他、ポスティングサーバー１、タブレット端末５、及び、プリンター３の他の各部の具体的な細部構成についても、本発明の趣旨を逸脱しない範囲で任意に変更可能である。
【０１２９】
また、例えば、図５に示す動作のステップ単位は、広告システム１００の各装置の動作の理解を容易にするために、主な処理内容に応じて分割したものであり、処理単位の分割の仕方や名称によって、本発明が限定されることはない。処理内容に応じて、さらに多くのステップ単位に分割してもよい。また、１つのステップ単位がさらに多くの処理を含むように分割してもよい。また、そのステップの順番は、本発明の趣旨に支障のない範囲で適宜に入れ替えてもよい。
【符号の説明】
【０１３０】
１…ポスティングサーバー（サーバー）、１Ａ…ポスティング業者、２…広告主ＰＣ、２Ａ、２Ａ−１、２Ａ−２、２Ａ−３、２Ａ−４…広告主、３…プリンター（印刷装置）、４…配布員、５…タブレット端末（制御装置）、５０…端末制御部（制御部）、５１…端末ネットワーク通信部（第２通信部）、５２…端末通信部（第１通信部）、５４…ＧＰＳユニット（位置検出部）、１００…広告システム、５２０Ｂ…専用アプリ（プログラム）、ＧＮ…グローバルネットワーク、ＫＧ…広告画像、ＴＡ…担当エリア、ＴＳ…チラシ（広告媒体）。
【図１】
2020190918.tif 000003
【図２】
2020190918.tif 000004
【図３】
2020190918.tif 000005
【図４】
2020190918.tif 000006
【図５】
2020190918.tif 000007
【図６】
2020190918.tif 000008